(57)【要約】【課題】撮影板１５を保護ケース１３から取り出す取出し操作性を良くする。【解決手段】保護ケース１３の開封口側から保護ケース１３を撮影板取り出し装置６０の差込部７０に差し込む。次に、背面板６６の切欠部８４に指が入るように、指で撮影板１５の上端を押して、撮影板１５を排出口７８へ押し込む。このとき、規制部８０は、保護ケース１３を保持して保護ケース１３の排出口７８からの排出を規制すると共に、排出口７８へ押し込まれる撮影板１５の排出口７８からの排出を許容する。このため、保護ケース１３が差込部７０に残った状態で、撮影板１５のみが排出口７８から排出され、保護ケース１３から撮影板１５を取り出すことができる。このように、撮影板１５を排出口７８へ押し込む押し込み操作により、撮影板１５を保護ケース１３から取り出せるので、撮影板１５を保護ケース１３から取り出す取出し操作性が良くなる。【選択図】図１１
2009077802.tif 000002
【特許請求の範囲】
【請求項１】
撮影板が入れられた保護袋を差し込み可能な差込部と、
前記差込部と通じ、前記撮影板を排出可能な排出口と、
前記差込部に設けられ、前記差込部に差し込まれた前記保護袋を保持して前記保護袋の前記排出口からの排出を規制する共に、前記差込部から前記排出口へ押し込まれる前記撮影板の前記排出口からの排出を許容する規制部と、
を備えたことを特徴とする撮影板取り出し装置。
【請求項２】
前記差込部は、前記撮影板と一緒に前記差込部から前記排出口側へ押し込まれる前記保護袋を収容可能な空間を有することを特徴とする請求項１に記載の撮影板取り出し装置。
【請求項３】
保護袋に入れられた撮影板を前記保護袋から取り出す取り出し方法であって、
撮影板が入れられた保護袋を、排出口に通じる差込部に差し込む工程と、
前記差込部に設けられた規制部により、前記差込部に差し込まれた前記保護袋を保持して前記保護袋の前記排出口からの排出を規制すると共に、前記撮影板を前記差込部から前記排出口へ押し込んで前記撮影板を前記排出口から排出する工程と、
を備えたことを特徴とする取り出し方法。
【請求項４】
画像読取装置本体に設けられ、請求項１又は請求項２に記載の撮影板取り出し装置と、
前記画像読取装置本体に設けられ、前記撮影板取り出し装置の排出口から排出された撮影板が挿入される挿入部と、
前記画像読取装置本体に設けられ、前記挿入部に挿入された撮影板が担持した放射線撮影画像を読み取る画像読取手段と、
を備えたことを特徴とする画像読取装置。
【発明の詳細な説明】
【技術分野】
【０００１】
本発明は、撮影板取り出し装置、取り出し方法及び画像読取装置に関する。
【背景技術】
【０００２】
撮影板としては、口内の放射線撮影に用いられる撮影板が知られている。このような撮影板は、撮影板を保護するため保護袋に入れられている。保護袋に入れられた撮影板は、例えば以下の手順で保護袋から取り出される。
【０００３】
口内で放射線撮影がなされた後、撮影板が入れられた保護袋は洗浄される。洗浄された保護袋は開封され、保護袋に入った撮影板を素手でつかんで、撮影板を保護袋から引っ張り出し、撮影板が保護袋から取り出される。
【０００４】
撮影板を保護袋から取り出す際は、放射線撮影を行った者はゴム手袋を外し、撮影板に汚物が付着するのを防ぐために手を洗い、保護袋を開封し、かつ撮影板に但持された画像データの消失を防ぐために受光面（放射線撮影画像が担持された面）を下向きにして室内光があたらないように取り出す必要がある。その状態から素手で撮影板を画像読取装置へ挿入する。
【０００５】
また、画像データ消失を防ぐための保護紙に撮影板が挟まれた状態で保護袋に入れられる場合もある。この場合は、保護紙と共に撮影板を素手で取り出し、その状態のまま撮影板のみを画像読取装置へ挿入する（特許文献１参照）。
【特許文献１】特開２００５−２８４２８０号公報
【発明の開示】
【発明が解決しようとする課題】
【０００６】
しかしながら、上記のように撮影板を取り出す方法では、撮影板を保護袋から取り出す取出し操作性が悪かった。
【０００７】
本発明は、上記事実を考慮し、撮影板を保護袋から取り出す取出し操作性を良くすることを目的とする。
【課題を解決するための手段】
【０００８】
本発明の請求項１に係る撮影板取り出し装置は、撮影板が入れられた保護袋を差し込み可能な差込部と、前記差込部と通じ、前記撮影板を排出可能な排出口と、前記差込部に設けられ、前記差込部に差し込まれた前記保護袋を保持して前記保護袋の前記排出口からの排出を規制する共に、前記差込部から前記排出口へ押し込まれる前記撮影板の前記排出口からの排出を許容する規制部と、を備えたことを特徴とする。
【０００９】
この構成によれば、撮影板が入れられた保護袋を差込部に差し込む。差込部に差し込まれた保護袋は、規制部に保持されて排出口からの排出が規制される。一方、差込部に差し込まれた保護袋に入れられた撮影板は、差込部から排出口へ押し込まれることにより排出口から排出される。これにより、保護袋が差込部に残った状態で撮影板のみが排出口から排出され、保護袋から撮影板を取り出すことができる。
【００１０】
このように、撮影板を排出口へ押し込む押し込み操作により、撮影板を保護袋から取り出せるので、撮影板を保護袋から取り出す取出し操作性が良くなる。
【００１１】
本発明の請求項２に係る撮影板取り出し装置は、請求項１の構成において、前記差込部は、前記撮影板と一緒に前記差込部から前記排出口側へ押し込まれる前記保護袋を収容可能な空間を有することを特徴とする。
【００１２】
この構成によれば、撮影板と一緒に差込部から排出口側へ押し込まれる保護袋は、差込部が有する空間に収容される。このため、撮影板を排出口へ押し込む際に、保護袋が抵抗とならず、スムーズに撮影板を押し込むことができる。
【００１３】
本発明の請求項３に係る撮影板取り出し装置は、請求項１又は請求項２の構成において、保護袋に入れられた撮影板を前記保護袋から取り出す取り出し方法であって、撮影板が入れられた保護袋を、排出口に通じる差込部に差し込む工程と、前記差込部に設けられた規制部により、前記差込部に差し込まれた前記保護袋を保持して前記保護袋の前記排出口からの排出を規制すると共に、前記撮影板を前記差込部から前記排出口へ押し込んで前記撮影板を前記排出口から排出する工程と、を備えたことを特徴とする。
【００１４】
この構成によれば、撮影板が入れられた保護袋を差込部に差し込む。差込部に差し込まれた保護袋は、規制部に保持されて排出口からの排出が規制される。一方、差込部に差し込まれた保護袋に入れられた撮影板は、差込部から排出口へ押し込まれて排出口から排出される。これにより、保護袋が差込部に残った状態で撮影板のみが排出口から排出され、保護袋から撮影板を取り出すことができる。
【００１５】
このように、撮影板を排出口へ押し込む押し込み操作により、撮影板を保護袋から取り出せるので、撮影板を保護袋から取り出す取出し操作性が良くなる。
【００１６】
本発明の請求項４に係る撮影板取り出し装置は、請求項１〜３のいずれか１項の構成において、画像読取装置本体に設けられ、請求項１又は請求項２に記載の撮影板取り出し装置と、前記画像読取装置本体に設けられ、前記撮影板取り出し装置の排出口から排出された撮影板が挿入される挿入部と、前記画像読取装置本体に設けられ、前記挿入部に挿入された撮影板が担持した放射線撮影画像を読み取る画像読取手段と、を備えたことを特徴とする。
【００１７】
この構成によれば、撮影板取り出し装置の排出口から排出された撮影板は、画像読取装置本体に設けられた挿入部に挿入される。挿入部に挿入された撮影板が担持した放射線撮影画像が画像読取手段に読み取られる。
【００１８】
撮影板取り出し装置の排出口から排出された撮影板は、挿入部に挿入されるので、撮影板を保護袋から取り出して画像読取装置に挿入するまで工数を削減し、作業時間を減らすことができる。
【発明の効果】
【００１９】
本発明は、上記構成としたので、撮影板を保護袋から取り出す取出し操作性が良くなる。
【発明を実施するための最良の形態】
【００２０】
以下に、本発明に係る実施形態の一例を図面に基づき説明する。
（本実施形態に係る画像読取装置１０の構成）
まず、本実施形態に係る画像読取装置１０の構成を説明する。図１は、本実施形態に係る画像読取装置１０の概略構成を示す側断面図である。図２（Ａ）及び図２（Ｂ）は、撮影板１５及び撮影板１５が入れられた保護ケース１３の構成を示す図である。
【００２１】
本実施形態に係る画像読取装置１０は、撮影板１５が担持した放射線撮影画像を読み取るためのものである。撮影板１５は、例えば、矩形状の板体で形成され、口内に挿入されてＸ線撮影されることにより、撮影面ＳにＸ線撮影画像を担持する。撮影板１５としては、例えば、ＩＰ（イメージングプレート）、フィルムが用いられる。
【００２２】
この撮影板１５は、照射された放射線の放射線エネルギの一部を蓄積し、後にレーザ光等の励起光が照射されることにより蓄積されたエネルギに応じた輝尽発光を示す光輝尽性蛍光体層を有するプレートであり、蛍光体の励起光波長領域の光を含む消去光を照射されて残存するエネルギが消去されることにより、再使用可能となる。
【００２３】
また、図２（Ａ）及び図２（Ｂ）に示すように、撮影板１５は、保護袋としての保護ケース１３に封入された状態で口内に挿入される。保護ケース１３は、矩形状のシート材１３Ａ、１３Ｂの周縁部同士を互いに接合することにより形成されている。また、保護ケース１３は、柔軟な材料で形成されており、自由に折り曲げることができる。
【００２４】
ここで、シート材１３Ａは、遮光性及び水密性を有し、放射線を透過可能である材料により形成されている。撮影板１５の光輝尽性蛍光体層により構成される撮影面Ｓが、シート材１３Ａにより覆われるように、撮影板１５の保護ケース１３への挿入方向が決められている。また、保護ケース１３の一辺には、保護ケース１３を開封するためのＶ字状の切欠き１３Ｃが形成されている。
【００２５】
本実施形態に係る画像読取装置１０は、図１に示すように、画像読取装置１０の主要部分をなす画像読取装置本体１１と、保護ケース１３に入れられた撮影板１５を保護ケース１３から取り出すための撮影板取り出し装置６０とを備えている。
【００２６】
画像読取装置本体１１は、画像処理部１２が収容された筐体２０と、画像処理前工程部１４が収容された筐体１８と、画像処理後工程部１６が収容された筐体２２と、を備えている。
【００２７】
撮影板取り出し装置６０は、画像読取装置本体１１に着脱可能に取り付けられている。これにより、撮影板取り出し装置６０を画像読取装置本体１１から取り外して、撮影板取り出し装置６０を洗浄することができる。
【００２８】
本実施形態では、筐体１８の上部に溝部１８Ａが形成されており、撮影板取り出し装置６０は、筐体１８の溝部１８Ａにはめ込まれることで、画像読取装置本体１１に着脱可能に取り付けられる。
【００２９】
また、筐体１８と筐体２０とが着脱自在に結合され、筐体２０と筐体２２とが着脱自在に結合されており、画像処理部１２、画像処理前工程部１４、及び画像処理後工程部１６は一体化されている。
【００３０】
筐体１８、２０、２２は、装置上方からこの順に配設されている。筐体１８は、撮影板１５が挿入される挿入部２４を溝部１８Ａに備え、撮影板１５が排出される排出部２６を下壁１８Ｂに備えている。筐体１８内には、挿入部２４から排出部２６へかけて搬送手段としての搬送ローラ対２８Ａ、２８Ｂが設けられており、挿入部２４から筐体１８内へ挿入された撮影板１５が、搬送ローラ対２８Ａ、２８Ｂにより装置下方へ搬送され、排出部２６から排出される。
【００３１】
なお、撮影板１５は、撮影面Ｓ（図２（Ｂ）参照）を装置後方側（図１において右側）へ向けた状態で、挿入部２４から筐体１８内に挿入される。
【００３２】
また、筐体１８内では、消毒手段としての消毒機構３４が、搬送ローラ対２８Ａと搬送ローラ対２８Ｂとの間に設けられている。消毒機構３４は、撮影板１５に対して殺菌消毒を行う。
【００３３】
また、筐体２０は、排出部２６と着脱自在に結合される挿入部３３を上壁２０Ａに備え、装置前方側（図１において左側）の側壁である前壁２０Ｂの下部に排出部３５を備えている。筐体２０内には、搬送手段としての搬送ローラ対２８Ｄ、２８Ｅ、２８Ｆ、２８Ｇ、２８Ｈと、搬送ガイド３６Ａ、３６Ｂ、３６Ｃ、３６Ｄ、３６Ｅ、３６Ｆ、３６Ｇとが、設けられている。
【００３４】
これらは、挿入部３３から排出部３５へかけて、搬送ガイド３６Ａ、搬送ローラ対２８Ｄ、搬送ガイド３６Ｂ、搬送ローラ対２８Ｅ、搬送ガイド３６Ｃ、搬送ローラ対２８Ｆ、搬送ガイド３６Ｄ、搬送ガイド３６Ｅ、搬送ローラ対２８Ｇ、搬送ガイド３６Ｆ、搬送ローラ対２８Ｈ、搬送ガイド３６Ｇの順で配置されている。
【００３５】
本実施形態では、挿入部３３から筐体２０内に挿入された撮影板１５は、搬送ガイド３６Ａ、３６Ｂ、３６Ｃにガイドされながら、搬送ローラ対２８Ｄ、２８Ｅ、２８Ｆにより装置下方へ搬送された後、搬送ガイド３６Ｄにより装置後方下側へ案内されて搬送ガイド３６Ｅ上に落下する。
【００３６】
この際、撮影板１５が、装置後方側へ傾斜した状態で搬送ガイド３６Ｅ上に落下し、先頭と後尾とを反転させる。これにより、搬送ガイド３６Ｅ上に落下した撮影板１５の撮影面Ｓが上向きになる。そして、撮影板１５は、装置前側へかけて下方へ傾斜した搬送ガイド３６Ｅにより、装置前方下側へ案内された後、搬送ガイド３６Ｆ、３６Ｇにより案内されながら搬送ローラ対２８Ｇ、２８Ｈにより装置前方へ搬送され、排出部３５から排出される。
【００３７】
また、筐体２０内には、画像読取手段としての画像読取機構３８と、残像消去手段としての残像消去機構４０とが、搬送方向上流側から記載順に配設され、また、室圧保持手段としての室圧調整機構４２が配設されている。
【００３８】
画像読取機構３８は、光走査装置１０２と、集光ガイド１０６と、光電変換部（フォトマルチプライヤー）１０８とを備えている。光走査装置１０２は、筐体２０内の装置後方側に配設された装置筐体１１０と、装置筐体１１０に収容された光源部１１２、偏向器（ポリゴンミラー）１１４、及び折り返しミラー１１６とを少なくとも備えている。
【００３９】
光源部１１２は、装置下側にある偏向器１１４へレーザ光Ｌ１を射出する。射出されたレーザ光Ｌ１は、偏向器１１４により装置上側へ折り返されると共に走査方向へ偏向される。偏向器１１４により偏向されたレーザ光Ｌ１は、図示しない光学要素により集光及び拡散された後、折り返しミラー１１６により、搬送ローラ対２８Ｄと搬送ローラ対２８Ｅとの間にあるレーザ照射位置へ向けて折り返され、レーザ照射位置を通過する撮影板１５の撮影面Ｓを走査する。
【００４０】
撮影板１５の撮影面Ｓに励起光としてのレーザ光Ｌ１が照射された場合には、撮影面Ｓに蓄積されたエネルギに応じた、即ち、撮影画像に応じた輝尽発光が起こる。
【００４１】
また、集光ガイド１０６は、撮影板１５に近接して撮影板１５の主走査方向に沿って配設されており、撮影面Ｓにおいて生じた輝尽発光光Ｌ２を光電変換部１０８へ導く。光電変換部１０８は、撮影板１５から得られた輝尽発光光Ｌ２を電気信号に変換する。
【００４２】
光電変換部１０８により変換された電気信号は、図示しないモニタへ画像情報を出力される。該モニタには、光電変換部１０８から出力された電気信号に基づいた画像が表示される。
【００４３】
また、残像消去機構４０は、撮影板１５の撮影面Ｓに担持された放射線撮影画像を消去する。また、室圧調整機構４２は、ファン（図示）等により筐体２０内へ送風すること等により、筐体２０内の室圧を大気圧よりも高圧である所定値に調整する。
【００４４】
また、筐体２２は、側面視にてＬ字状の筐体であり、筐体２０の前壁２０Ｂに対向する対向面２２Ａには、排出部３５と着脱自在に結合される挿入部４４が設けられ、装置前方側の側面である前壁２２Ｂには、排出部４６が配設されている。
【００４５】
また、筐体２２内には、搬送手段としての搬送ローラ対２８Ｉ、２８Ｊ、２８Ｋ、ヒートローラ対４８、搬送ローラ対２８Ｌ、２８Ｍ、２８Ｎ、加圧ローラ対５０、搬送ローラ対２８Ｏと、搬送ガイド３６Ｈ、３６Ｉ、３６Ｊ、３６Ｋ、３６Ｌ、３６Ｍ、３６Ｎとが、設けられている。
【００４６】
これらは、挿入部４４から排出部４６へかけて、搬送ローラ対２８Ｉ、搬送ガイド３６Ｈ、搬送ローラ対２８Ｊ、搬送ガイド３６Ｉ、搬送ローラ対２８Ｋ、ヒートローラ対４８、搬送ガイド３６Ｊ、搬送ローラ対２８Ｌ、搬送ガイド３６Ｋ、搬送ローラ対２８Ｍ、搬送ガイド３６Ｌ、搬送ローラ対２８Ｎ、加圧ローラ対５０、搬送ガイド３６Ｍ、搬送ローラ対２８Ｏ、搬送ガイド３６Ｎの順で配置されている。
【００４７】
搬送ローラ対２８Ｉは、挿入部４４から挿入された撮影板１５を、搬送ローラ対２８Ｉの装置前方ある搬送ガイド３６Ｈへ搬送する。この搬送ガイド３６Ｈは、装置前方側から装置後方側へかけて装置下方へ傾斜しており、撮影板１５の先頭と後尾とを反転させて装置後方下側へ案内する（落下させる）。これにより、撮影板１５は、撮影面Ｓを上向きにした状態に維持されたまま、搬送ガイド３６Ｈ上を滑り落ちる。
【００４８】
搬送ガイド３６Ｈに案内された撮影板１５は、搬送ガイド３６Ｉ、３６Ｊにガイドされながら、搬送ローラ対２８Ｊ、２８Ｋ、ヒートローラ対４８及び搬送ローラ対２８Ｌにより、搬送ローラ対２８Ｌの装置後方に設けられた搬送ガイド３６Ｋへ搬送される。
【００４９】
この搬送ガイド３６Ｋは、装置後方側から装置前方側へかけて装置下方へ傾斜しており、撮影板１５の先頭と後尾とを反転させて装置前方下側へ案内する（落下させる）。これにより、撮影板１５は、撮影面Ｓを上向きにした状態に維持されたまま、搬送ガイド３６Ｋ上を滑り落ちる。
【００５０】
搬送ガイド３６Ｋに案内された撮影板１５は、搬送ガイド３６Ｌ、３６Ｍ、３６Ｎにガイドされながら、搬送ローラ対２８Ｍ、２８Ｎ、加圧ローラ対５０、搬送ローラ対２８Ｏにより装置前方側へ搬送され、排出部４６から排出される。
【００５１】
また、筐体２２内には、保護部材取付手段としての保護ケース封入機構５２と、パック封入手段としての汚損防止パック封入機構５４とが、搬送方向上流側から記載順に配設されている。保護ケース封入機構５２は、上記保護ケース１３を作成すると共に作成された保護ケース１３により撮影板１５を封入する。また、汚損防止パック封入機構５４は、撮影板１５を封入した保護ケース１３を封入可能な汚損防止パック（図示省略）を作成すると共に、作成された汚損防止パックにより撮影板１５を封入した保護ケース１３を封入する。
【００５２】
（本実施形態に係る撮影板取り出し装置６０の構成）
次に、本実施形態に係る撮影板取り出し装置６０の構成を説明する。図３は、本実施形態に係る撮影板取り出し装置６０の構成を示す斜視図である。図４は、本実施形態に係る撮影板取り出し装置６０の構成を示す分解斜視図である。図５は、本実施形態に係る撮影板取り出し装置６０の前面板６４及び背面板６６のそれぞれを背面側から見た図である。図６は、本実施形態に係る撮影板取り出し装置６０の構成を示す正面図である。図７（Ａ）は、本実施形態に係る撮影板取り出し装置６０の構成を示す平面図であり、図７（Ｂ）は、本実施形態に係る撮影板取り出し装置６０の構成を示す底面図である。図８は、本実施形態に係る撮影板取り出し装置６０の構成を示す図６の８−８線断面図である。
【００５３】
本実施形態に係る撮影板取り出し装置６０は、図３に示すように、撮影板取り出し装置６０の主要部分をなす撮影板取り出し装置本体６２を備えている。撮影板取り出し装置本体６２は、図４に示すように、一対の板体を組み合わせて形成されており、一方の板体としての前面板６４と、他方の板体としての背面板６６とを備えている。
【００５４】
また、撮影板取り出し装置本体６２には、前面板６４と背面板６６とをねじ止めするための４つのねじ６８が設けられている。ねじ６８は、ねじ溝が形成されたねじ部６８Ａと、頭部６８Ｂとを備えている。
【００５５】
背面板６６には、図４及び図５に示すように、ねじ６８のねじ部６８Ａが差し通される通し孔６６Ａが形成されている。背面板６６に背面側には、通し孔６６Ａにねじ部６８Ａが通されたねじ６８の頭部６８Ｂが収容される収容孔６６Ｂが形成されている。前面板６４には、ねじ６８が螺合されるねじ孔６４Ａが形成されている。
【００５６】
ねじ６８が背面板６６の背面側から通し孔６４Ａに差し通されると共にねじ孔６６Ａに螺合されることにより、前面板６４と背面板６６とは組み合わされ、撮影板取り出し装置本体６２が形成される。なお、ねじ６８が通し孔６４Ａに差し通された際は、ねじ６８の頭部６８Ｂが収容孔６６Ｂに収容され、頭部６８Ｂの天面が背面板６６の背面の同一面上に位置する。
【００５７】
撮影板取り出し装置本体６２には、撮影板１５が入れられた保護ケース１３を差し込み可能な差込部７０が設けられている。
【００５８】
差込部７０は、前面板６４の背面側（背面板６６に対向する面）に形成された溝部７２と、背面板６６の前面側（前面板６４に対向する面）に形成された溝部７４と、が結合することにより形成される。
【００５９】
図６に示すように、背面板６６に形成された溝部７４の溝幅Ｗ１は、撮影板１５が通過可能な幅に形成されており、具体的には、溝部７４の溝幅Ｗ１は、撮影板１５の幅ＷＡより広く、保護ケース１３の幅ＷＢより狭い幅にされている。
【００６０】
本実施形態では、溝部７４の溝幅Ｗ１は、撮影板１５の幅ＷＡ若干広くされた程度の幅とされている。また、溝部７４は、背面板６６の一端（図６において上端）から他端（図６において下端）にわたって形成されている。
【００６１】
前面板６４に形成された溝部７２の溝幅Ｗ２は、保護ケース１３が通過可能な幅に形成されており、具体的には、保護ケース１３の幅ＷＢより広い幅に形成されている。
本実施形態では、前面板６４に形成された溝部７２の溝幅Ｗ２は、保護ケース１３の幅ＷＢより若干広くされた程度の幅とされている。また、溝部７２は、前面板６４の一端（図６において上端）から、前面板６４の下部（図６において上端と下端との間の位置）にわたって形成されている。
【００６２】
差込部７０には、図３、図７（Ａ）及び図８に示すように、撮影板１５が入れられた保護ケース１３が差し込まれる差込口７６が形成されている。差込口７６は、差込部７０の一端（本実施形態において上端）に形成されている。
【００６３】
差込部７０は、図７（Ｂ）及び図８に示すように、撮影板１５が排出可能な排出口７８と通じており、差込部７０に差し込まれた保護ケース１３に入れられた撮影板１５が排出口７８から排出可能とされている。排出口７８は、差込部７０の他端側（本実施形態において下端側）に形成されている。
【００６４】
差込部７０は、差込口７６から排出口７８へ撮影板１５を通過させる通路としての機能を有する。また、差込部７０の側壁は、撮影板１５が入れられた保護ケース１３の側端を案内するガイドとして機能する。
【００６５】
差込部７０には、差込部７０に差し込まれた保護ケース１３を保持して保護ケース１３の排出口７８からの排出を規制する規制部８０が設けられている。規制部８０は、差込部７０に差し込まれた保護ケース１３に幅方向両端部に配置されており、保護ケース１３の幅方向両端部を保持するようになっている。
【００６６】
図４及び図５に示すように、前面板６４に形成された溝部７２の下端部には、その側壁からそれぞれ、溝部７２の内側（図４及び図５の矢印Ａ方向）に突出する突出片８２が形成されている。この突出片８２は、図４及び図８に示すように、差込口７６側（上面側）の部位が階段状に切り欠けられており、背面板６６の前面と合わされることで、溝で構成される規制部８０を形成する。
【００６７】
規制部８０は、排出口７８に向けて幅が小さくなる形状（くさび形状）しており、規制部８０に差し込まれる保護ケース１３のシート材１３Ａ、１３Ｂの両面から挟持する。
【００６８】
なお、突出片８２は、差込口７６側（上面側）の部位が斜めに形成されていてもよく、差込口７６側の面が傾斜面で構成されていてもよい。また、この傾斜面は、湾曲していても良い。
【００６９】
また、規制部８０は、保護ケース１３の両端部のみを保持し、撮影板１５を保持せず、差込部７０から排出口７８へ押し込まれる撮影板１５の排出口７８からの排出を許容する。
【００７０】
排出口７８は、突出片８２が内側に突出することで、図７（Ａ）及び図７（Ｂ）に示すように、その幅Ｗ３が差込口７６の幅Ｗ４及び保護ケース１３の幅ＷＢより狭くされている。
【００７１】
また、背面板６６は前面板６４よりも上下方向に長く形成され、差込口７６から背面板６６が上方へ突出している。これにより、撮影板１５を差込口７６に差し込む際に、撮影板１５を背面板６６に当接させながら撮影板１５を差込口７６へ移動させることができる。すなわち、背面板６６は、撮影板１５を差込口７６へ案内するガイドとして機能する。
【００７２】
また、背面板６６には、Ｕ字形状に切り欠けられた切欠部８４が、上方に形成されている。切欠部８４は、撮影板１５が入れられた保護ケース１３を差込口７６に差し込む差込操作する操作者の指が挿入可能にされている。差込部７０に差し込んだ保護ケース１３及び撮影板１５を排出口７８へ押し込む際に、指が切欠部８４に案内され、下方へ誘い込まれる。
【００７３】
また、前面板６４は、差込口７６の内壁６４ＢがＲ状に形成され、保護ケース１３をスムーズに差込部７０に差し込みことができる。
【００７４】
さらに、前面板６４には、Ｕ字形状に切り欠けられた切欠部８６が、差込口７６側に形成されている。
【００７５】
切欠部８６は、撮影板１５が入れられた保護ケース１３を差込口７６に差し込む差込操作する操作者の指が挿入可能にされている。差込部７０に差し込んだ保護ケース１３及び撮影板１５を排出口７８へ押し込む際に、指が切欠部８６に案内され、下方へ誘い込まれる。
【００７６】
差込部７０は、撮影板１５と一緒に差込部７０から排出口７８側へ押し込まれる保護ケース１３を収容可能な空間を有している。これにより、操作者が撮影板１５を排出口７８へ向けて押し込む際に、押し潰された保護ケース１３が差込部７０の空間に収容される。
【００７７】
（撮影板１５を取り出す取り出し方法）
次に、保護ケース１３に入れられた撮影板１５を保護ケース１３から取り出す取り出し方法を、その手順に沿って説明する。
【００７８】
図９は、本実施形態に係る撮影板取り出し装置を用いて、撮影板を保護ケースから取り出す際の取出し操作を示す斜視図である。図１０は、本実施形態に係る撮影板取り出し装置を用いて、撮影板を保護ケースから取り出す際の取出し操作を示す斜視図である。図９は、本実施形態に係る撮影板取り出し装置を用いて、保護ケースから撮影板を取り出す取出し操作を示す図であり、（Ａ）は、図１０（Ａ）の１１Ａ−１１Ａ線断面図であり、（Ｂ）は、図１０（Ｂ）の１１Ｂ−１１Ｂ線断面図である。
【００７９】
まず、撮影板１５が入れられた保護ケース１３を口内に挿入して放射線撮影をした後、保護ケース１３を洗浄し、保護ケース１３の切欠き１３Ｃから保護ケース１３を破断して、保護ケース１３を開封する。
【００８０】
次に、図９（Ａ）及び図１０（Ａ）に示すように、保護ケース１３の開封口側から保護ケース１３を撮影板取り出し装置６０の差込部７０に差し込む。このとき、図１１（Ａ）に示すように、保護ケース１３の開封端は、規制部８０に差し込まれて保持される。
【００８１】
次に、図９（Ｂ）、図１０（Ｂ）及び図１１（Ｂ）に示すように、背面板６６の切欠部８４に指が入るように、指で撮影板１５の上端を押して、撮影板１５を排出口７８へ押し込む。このとき、規制部８０は、保護ケース１３を保持して保護ケース１３の排出口７８からの排出を規制すると共に、排出口７８へ押し込まれる撮影板１５の排出口７８からの排出を許容する。
【００８２】
このため、保護ケース１３が差込部７０に残った状態で、撮影板１５のみが排出口７８から排出され、保護ケース１３から撮影板１５を取り出すことができる。
【００８３】
このように、撮影板１５を排出口７８へ押し込む押し込み操作により、撮影板１５を保護ケース１３から取り出せるので、保護ケース１３に入った撮影板１５を素手でつかんで撮影板１５を保護ケース１３から引っ張り出す構成に比べて、撮影板１５を保護ケース１３から取り出す取出し操作性が良くなる。
【００８４】
また、本実施形態では、背面板６６の切欠部８４に指を入れて、撮影板１５を押し込むので、保護ケース１３と差込部７０の内壁との摩擦に対抗して撮影板１５を深く押し込むことができる。
【００８５】
また、本実施形態では、撮影板１５が排出口７８へ押し込まれた際には、保護ケース１３が押し潰されて団子状になるが、撮影板１５と一緒に排出口７８へ押し込まれる保護ケース１３は、差込部７０に収容されるので、保護ケース１３が抵抗とならず、スムーズに撮影板１５を押し込むことができる。
【００８６】
また、本実施形態では、撮影板取り出し装置６０の排出口７８から排出された撮影板１５は、画像読取装置１０の挿入部２４に挿入されるので、撮影板１５を保護ケース１３から取り出して画像読取装置１０に挿入するまで工数を削減し、作業時間を減らすことができる。
【００８７】
なお、本実施形態係る撮影板取り出し装置６０は、図１２に示すように、保護ケース１３から取り出された撮影板１５に付着する付着物を除去する除去部材８８を備える構成であってもよい。
【００８８】
この構成では、除去部材８８は規制部８０と画像読取装置１０の挿入部２４との間に配置されている。また、除去部材８８は、一対が対向するように設けられ、この一対の除去部材８８の間を通過する撮影板１５の両面に除去部材８８が接触して、付着物を除去する。除去部材としては、例えば、撮影板１５に付着した水分を除去する吸水シートや、撮影板１５に付着したゴミを取り除くゴミ取りシートを用いることができる。
【００８９】
また、本実施形態に係る撮影板取り出し装置６０は、図１３に示すように、保護ケース１３から取り出された撮影板１５へ照射される光を遮るための遮光部材８９を備える構成であってもよい。
【００９０】
この構成では、遮光部材８９は、規制部８０と画像読取装置１０の挿入部２４との間に配置されており、差込部７０の差込口７６から入射する光を遮って、その光が撮影板１５に当たるのを防止する。遮光部材８９としては、植毛された遮光用植毛シートを用いることができる。
【００９１】
また、図１４（Ａ）及び図１４（Ｂ）に示すように、本実施形態に係る撮影板取り出し装置６０は、保護ケース１３を開封する開封機構９０を備えた構成であってもよい。
【００９２】
開封機構９０は、差込部７０に差し込まれた保護ケース１３の下端部を切断するカッター９２を備えている。カッター９２は、撮影板取り出し装置本体６２に揺動可能に支持されており、保護ケース１３から離間した離間位置（図１４（Ａ）参照）と、保護ケース１３を切断する切断位置（図１４（Ｂ）参照）との間を揺動するようになっている。また、カッター９２は、図示しないばね等の付勢部材に離間位置に付勢されている。
【００９３】
付勢部材の不勢力に対抗して、カッター９２を押して切断位置に移動させることで保護ケース１３を切断することができる。カッター９２の押圧を解除することにより、カッター９２は、離間位置に復帰する。
【００９４】
カッター９２には、図１５（Ａ）及び図１５（Ｂ）に示すように、切れ端を押し出す押出部９２Ａが形成されており、押出部９２Ａにより切れ端が押し出されて排除される。なお、排除された切れ端は、ゴミ箱に収容しても良い。
【００９５】
また、開封機構９０を備えた構成においては、図１６（Ｂ）に示すように、撮影板１５を傷つけないための切断代を有する保護ケース１７を用いても良い。図１６（Ａ）に示すように、溶着や接着により保護ケース１７が接合される接合部１７Ａが形成されている。接合部１７Ａは、保護ケース１７の周縁部と中央部とに形成されている。なお、保護ケース１３の中央部の接合部は、撮影板１５を排出口７８に押し込む際に破断される。
【００９６】
また、本発明に係る規制部としては、撮影板取り出し装置本体６２の外部から押圧することで、差込部７０に差し込まれた保護ケース１３を挟持して保持すると共に、その押圧を解除することにより保護ケース１３から離間するように構成した保持機構を用いても良い。
【００９７】
本発明は、上記の実施形態に限るものではなく、種々の変形、変更、改良が可能である。
【図面の簡単な説明】
【００９８】
【図１】図１は、本実施形態に係る画像読取装置の概略構成を示す側断面図である。
【図２】図２（Ａ）、（Ｂ）は、撮影板及び撮影板が入れられた保護ケースの構成を示す図である。
【図３】図３は、本実施形態に係る撮影板取り出し装置の構成を示す斜視図である。
【図４】図４は、本実施形態に係る撮影板取り出し装置の構成を示す分解斜視図である。
【図５】図５は、本実施形態に係る撮影板取り出し装置の前面板及び背面板のそれぞれを背面側から見た図である。
【図６】図６は、本実施形態に係る撮影板取り出し装置の構成を示す正面図である。
【図７】図７（Ａ）は、本実施形態に係る撮影板取り出し装置の構成を示す平面図であり、図７（Ｂ）は、本実施形態に係る撮影板取り出し装置の構成を示す底面図である。
【図８】図８は、本実施形態に係る撮影板取り出し装置の構成を示す図６の８−８線断面図である。
【図９】図９は、本実施形態に係る撮影板取り出し装置を用いて、撮影板を保護ケースから取り出す際の取出し操作を示す斜視図である。
【図１０】図１０は、本実施形態に係る撮影板取り出し装置を用いて、撮影板を保護ケースから取り出す際の取出し操作を示す斜視図である。
【図１１】図９は、本実施形態に係る撮影板取り出し装置を用いて、保護ケースから撮影板を取り出す取出し操作を示す図であり、（Ａ）は、図１０（Ａ）の１１Ａ−１１Ａ線断面図であり、（Ｂ）は、図１０（Ｂ）の１１Ｂ−１１Ｂ線断面図である。
【図１２】図１２は、除去部材を備えた撮影板取り出し装置を示す断面図である。
【図１３】図１３は、遮光部材を備えた撮影板取り出し装置を示す断面図である。
【図１４】図１４は、開封機構を備えた撮影板取り出し装置を示す斜視図であり、（Ａ）は開封前、（Ｂ）は、開封後を示す。
【図１５】図１５は、開封機構を備えた撮影板取り出し装置を示す断面図であり、（Ａ）は開封前、（Ｂ）は、開封後を示す。
【図１６】図１６は、撮影板が入れられた保護ケースの変形例を示す図である。
【符号の説明】
【００９９】
１０   画像読取装置
２４   挿入部
３８   画像読取機構（画像読取手段）
６０   撮影板取り出し装置
７０   差込部
７８   排出口
８０   規制部
【図１】
2009077802.tif 000003
【図２】
2009077802.tif 000004
【図３】
2009077802.tif 000005
【図４】
2009077802.tif 000006
【図５】
2009077802.tif 000007
【図６】
2009077802.tif 000008
【図７】
2009077802.tif 000009
【図８】
2009077802.tif 000010
【図９】
2009077802.tif 000011
【図１０】
2009077802.tif 000012
【図１１】
2009077802.tif 000013
【図１２】
2009077802.tif 000014
【図１３】
2009077802.tif 000015
【図１４】
2009077802.tif 000016
【図１５】
2009077802.tif 000017
【図１６】
2009077802.tif 000018